(57)【特許請求の範囲】
【請求項１】
使用時に先端を切断して開口する注出口部をもち、表裏の合成樹脂フィルムの周縁部をシールしてなる柔軟なパウチにおいて、前記注出口部に四角形状の平板で合成樹脂製の開口維持部材を挿着し、該開口維持部材が、左右方向を上端から下端にわたる平行な２本の縦の線状折り曲げ部を設けて三分し、該２本の縦の線状折り曲げ部を内側へほぼ９０°折り曲げたときに、嵌合して内容物の流路をもつ立体構造を維持し合う嵌脱可能な嵌合部を上方部と下方部のそれぞれに設け、且つ、上下方向のほぼ中央位置に左端から右端にわたる１本の横の線状折り曲げ部を設けて二分し、該横の線状折り曲げ部を内側へほぼ１８０°折り曲げて外側のパウチの注出口部を折り曲げたときに、折り曲げ内側になる合成樹脂フィルムを挟み込んで嵌合し合う嵌脱可能な嵌合部を上方部と下方部のそれぞれに設けたことを特徴とするリクローズ可能な開口維持部材付パウチ。
【請求項２】
使用時に先端を切断して開口する注出口部をもち、表裏の合成樹脂フィルムの周縁部をシールしてなる柔軟なパウチにおいて、前記注出口部に四角形状の平板で合成樹脂製の開口維持部材を挿着し、該開口維持部材が、左右方向のほぼ中央位置に上端から下端にわたる１本の縦の線状折り曲げ部を設けて二分し、該縦の線状折り曲げ部を内側へほぼ９０°折り曲げたときに、嵌合して内容物の流路をもつ立体構造を維持し合う嵌脱可能な嵌合部を上方部と下方部のそれぞれに設け、且つ、上下方向のほぼ中央位置に左端から右端にわたる１本の横の線状折り曲げ部を設けて二分し、該横の線状折り曲げ部を内側へほぼ１８０°折り曲げて外側のパウチの注出口部を折り曲げたときに、折り曲げ内側になる合成樹脂フィルムを挟み込んで嵌合し合う嵌脱可能な嵌合部を上方部と下方部のそれぞれに設けたことを特徴とするリクローズ可能な開口維持部材付パウチ。
【請求項３】
使用時に先端を切断して開口する注出口部をもち、表裏の合成樹脂フィルムの周縁部をシールしてなる柔軟なパウチにおいて、前記注出口部に四角形状の平板で合成樹脂製の開口維持部材を挿着し、該開口維持部材が、左右方向を上端から下端にわたる平行な２本の縦の線状折り曲げ部を設けて三分し、該２本の縦の線状折り曲げ部を内側へほぼ９０°折り曲げたときに、嵌合して内容物の流路をもつ立体構造を維持し合う嵌脱可能な嵌合部を上方部と下方部のそれぞれに設け、且つ、上下方向のほぼ中央位置に左端から右端にわたる平行な２本の横の線状折り曲げ部を設けて三分し、該２本の横の線状折り曲げ部を内側へほぼ９０°折り曲げて外側のパウチの注出口部を折り曲げたときに、折り曲げ内側になる合成樹脂フィルムを挟み込んで嵌合し合う嵌脱可能な嵌合部を上方部と下方部のそれぞれに設けたことを特徴とするリクローズ可能な開口維持部材付パウチ。
【請求項４】
使用時に先端を切断して開口する注出口部をもち、表裏の合成樹脂フィルムの周縁部をシールしてなる柔軟なパウチにおいて、前記注出口部に四角形状の平板で合成樹脂製の開口維持部材を挿着し、該開口維持部材が、左右方向のほぼ中央位置に上端から下端にわたる１本の縦の線状折り曲げ部を設けて二分し、該縦の線状折り曲げ部を内側へほぼ９０°折り曲げたときに、嵌合して内容物の流路をもつ立体構造を維持し合う嵌脱可能な嵌合部を上方部と下方部のそれぞれに設け、且つ、上下方向のほぼ中央位置に左端から右端にわたる平行な２本の横の線状折り曲げ部を設けて三分し、該２本の横の線状折り曲げ部を内側へほぼ９０°折り曲げてパウチの注出口部を折り曲げたときに、折り曲げ内側になる合成樹脂フィルムを挟み込んで嵌合し合う嵌脱可能な嵌合部を上方部と下方部のそれぞれに設けたことを特徴とするリクローズ可能な開口維持部材付パウチ。
【請求項５】
使用時に先端を切断して開口する注出口部をもち、表裏の合成樹脂フィルムの周縁部をシールしてなる柔軟なパウチにおいて、前記注出口部に内容物の流路をもつ立体構造の合成樹脂製の開口維持部材を挿着し、該開口維持部材が、上方部と中央部と下方部とからなり、前記上方部は左右周縁部に２個の側板を対応させて設けて断面形状を匚字状にし、前記中央部は平板状でその中程を湾曲させて内側へほぼ１８０°折り曲げて外側のパウチの注出口部を折り曲げたときに、前記上方部の左右周縁部の側板の内面と折り曲げ内側になる合成樹脂フィルムを挟み込んで嵌合する嵌脱可能な２個の嵌合部を下方部に対応させて設けたことを特徴とするリクローズ可能な開口維持部材付パウチ。
【請求項６】
使用時に先端を切断して開口する注出口部をもち、表裏の合成樹脂フィルムの周縁部をシールしてなる柔軟なパウチにおいて、前記注出口部に内容物の流路をもつ立体構造の合成樹脂製の開口維持部材を挿着し、該開口維持部材が、上方部と中央部と下方部とからなり、前記上方部が左右周縁部に外面にそれぞれ嵌合部をもつ２個の側板を対応させて設けて断面形状を匚字状にし、前記中央部は平板状でその中程を湾曲させて内側へほぼ１８０°折り曲げて外側のパウチの注出口部を折り曲げたときに、前記上方部の２個の側板の外面の嵌合部と折り曲げ内側になる合成樹脂フィルムを挟み込んで嵌合する嵌脱可能なそれぞれ嵌合部をもつ２個の側板を下方部に対応させて設けたことを特徴とするリクローズ可能な開口維持部材付パウチ。
【請求項７】
使用時に先端を切断して開口する注出口部をもち、表裏の合成樹脂フィルムの周縁部をシールしてなる柔軟なパウチにおいて、前記注出口部に内容物の流路をもつ立体構造の合成樹脂製の開口維持部材を挿着し、該開口維持部材が、上方部と中央部と下方部とからなり、前記上方部は平板で、前記中央部の左右周縁部に外側へ突設する嵌合部を先端のそれぞれにもつ２個の側板を対応させて設けて断面形状を匚字状にし、前記側板の近接下方位置に左端から右端にわたる１本の横の線状折り曲げ部を設け、前記下方部の左右周縁部に、横の線状折り曲げ部を内側へほぼ９０°折り曲げて外側のパウチの注出口部を折り曲げたときに、前記中央部の２個の側板の先端の嵌合部と直接又は折り曲げ内側になる合成樹脂フィルムを挟み込んで嵌合する嵌脱可能な嵌合部をそれぞれ先端に内側へ突設する２個の側板を対応させて設けたことを特徴とするリクローズ可能な開口維持部材付パウチ。
【請求項８】
使用時に先端を切断して開口する注出口部をもち、表裏の合成樹脂フィルムの周縁部をシールしてなる柔軟なパウチにおいて、前記注出口部に内容物の流路をもつ立体構造の合成樹脂製の開口維持部材を挿着し、該開口維持部材が、上下方向のほぼ中央位置に左端から右端にわたる１本の横の線状折り曲げ部を設けて二分し、上方部の左右方向のほぼ中央位置に切り欠き状の嵌合部を設け、下方部の内面の左右方向のほぼ中央位置に、横の線状折り曲げ部を内側へほぼ９０°折り曲げて外側のパウチの注出口部を折り曲げたときに、前記上方部の切り欠き状の嵌合部と直接又は折り曲げ内側になる合成樹脂フィルムを挟み込んで嵌合する嵌脱可能な突起状の嵌合部を先端にもつ垂直板を突設したことを特徴とするリクローズ可能な開口維持部材付パウチ。
【請求項９】
使用時に先端を切断して開口する注出口部をもち、表裏の合成樹脂フィルムの周縁部をシールしてなる柔軟なパウチにおいて、前記注出口部に内容物の流路をもつ立体構造の合成樹脂製の開口維持部材を挿着し、該開口維持部材が、平板状の上方部と立体構造の中央部と下方部とからなり、前記中央部の左右周縁部のそれぞれに、外側へ突設する突起状の嵌合部を先端にもつ側板を対応させて内側面に設け、該側板の下方近接位置に、左端から右端にわたる１本の横の線状折り曲げ部を設け、該横の線状折り曲げ部より下方の前記下方部の下方位置に、左端から右端にわたる横の突起状の嵌合部を設け、左右両側に縦の線状折り曲げ部を介して側板を連設し、該左右の側板のそれぞれの縦の線状折り曲げ部の隣接内側縁部に、前記縦の線状折り曲げ部を内側へほぼ９０°折り曲げたときに、前記下方部の横の突起状の嵌合部の両端に嵌脱可能に嵌合する切り欠き状の嵌合部を設け、且つ、前記縦の線状折り曲げ部を内側へほぼ９０°折り曲げて嵌合係止して断面形状を匚字状にし、さらに、前記横の線状折り曲げ部を内側へほぼ９０°折り曲げてパウチの注出口部を折り曲げたときに、前記中央部の側板の先端の突起状の嵌合部と直接又は折り曲げ内側になる合成樹脂フィルムを挟み込んで嵌脱可能に嵌合する突起状の嵌合部を、前記左右の側板の上端内面縁部に設けたことを特徴とするリクローズ可能な開口維持部材付パウチ。
【請求項１０】
使用時に先端を切断して開口する注出口部をもち、表裏の合成樹脂フィルムの周縁部をシールしてなる柔軟なパウチにおいて、前記注出口部に内容物の流路をもつ立体構造の合成樹脂製の開口維持部材を挿着し、該開口維持部材が、ほぼ中央位置に切り欠き状の嵌合部をもつ前板と左右の側板とからなる断面形状がコ字状の上方部と、左右に平行する折り曲げ板からなる前記前板に連続する中央部と、該中央部を内側へほぼ１８０°折り曲げて外側のパウチの注出口部を折り曲げたときに、前記上方部の切り欠き状の嵌合部と折り曲げ内側になる合成樹脂フィルムを挟み込んで嵌脱可能に嵌合する突起状の嵌合部を内側面のほぼ中央位置に設けた下方部とからなることを特徴とするリクローズ可能な開口維持部材付パウチ。
【請求項１１】
使用時に先端を切断して開口する注出口部をもち、表裏の合成樹脂フィルムの周縁部をシールしてなる柔軟なパウチにおいて、前記注出口部に内容物の流路をもつ立体構造の合成樹脂製の開口維持部材を挿着し、該開口維持部材が、ほぼ中央位置の内側面に板状の嵌合部を突設する半円筒状の上方部と、折り曲げ板からなる前記上方部に連続する中央部と、該中央部を内側へほぼ１８０°折り曲げて外側のパウチの注出口部を折り曲げたときに、前記上方部の板状の嵌合部と折り曲げ内側になる合成樹脂フィルムを挟み込んで嵌脱可能に嵌合する嵌合溝をもつ嵌合部を内側面に突設する下方部とからなることを特徴とするリクローズ可能な開口維持部材付パウチ。
【請求項１２】
使用時に先端を切断して開口する注出口部をもち、表裏の合成樹脂フィルムの周縁部をシールしてなる柔軟なパウチにおいて、前記注出口部に内容物の流路をもつ立体構造の合成樹脂製の開口維持部材を挿着し、該開口維持部材が、下端部外側面に回転軸を突設する側板を左右に設けた断面形状が匚字状の上方部と、前記上方部の回転軸を枢着する軸受け部を左右上端部に内側へ突設し、前記上方部を内側へほぼ１８０°折り曲げてパウチの注出口部を折り曲げたときに、前記上方部の側板内面と折り曲げ内側になる合成樹脂フィルムを挟み込んで嵌脱可能に嵌合する左右平行の板状の嵌合部を下方内面に突設する下方部とからなることを特徴とするリクローズ可能な開口維持部材付パウチ。
【請求項１３】
使用時に先端を切断して開口する注出口部をもち、表裏の合成樹脂フィルムの周縁部をシールしてなる柔軟なパウチにおいて、前記注出口部に内容物の流路をもつ立体構造の合成樹脂製の開口維持部材を挿着し、該開口維持部材が、四角形状の平板と、該平板の中央位置に垂直に枢着する半円状の開閉板とからなり、該開閉板を前記パウチの注出口部の内面と外周を摺接させてほぼ９０°回転させたときに、水平位置で嵌脱可能に開閉板を嵌合係止する突起状の嵌合部を開閉板に設けたことを特徴とするリクローズ可能な開口維持部材付パウチ。
【請求項１４】
前記注出口部の表裏の合成樹脂フィルムの少なくとも片側を透明又は半透明にして、挿着した前記開口維持部材をパウチ外側から目視可能にしたことを特徴とする請求項１乃至１３記載のリクローズ可能な開口維持部材付パウチ。
【発明の詳細な説明】
【０００１】
【発明の属する技術分野】
本発明は、液体洗剤、トイレタリー、果汁飲料及び調味料などの詰替え用パウチに関するもので、詳しくは、内容物を注出し易く、リクローズ可能な開口維持部材付パウチに関するものである。
【０００２】
【従来の技術】
近年、環境保全や省資源の立場から、各種の液体内容物に詰替え用容器が広く使用されるようになってきた。この詰替え用容器としては、使用時に注出口部の先端を切断して開口し、内容物を注出する合成樹脂フィルムからなる柔軟な注出口部付パウチがあるが、他の容器へ内容物を詰め替えるときに、注出口部の内容物の注出のし易さを改善するために、例えば、特開平８−２５３８号公報に記載されいる注出口部の注出孔を中空円筒状又は中空半円筒状に成形したものや、特開平９−２４９５６号公報に記載されている注出口部の注出孔に半硬質ないし硬質パイプを埋没したものなどが知られていた。
【０００３】
【発明が解決しようとする課題】
ところで、最近、さらに、環境保全や省資源の立場から、詰替え容器の容量を増やして、一本で数回の詰替えが可能な詰替え用パウチが求められるようになってきた。このため、詰替え用パウチにリクローズ機能が必要となってきた。また、リクローズ機能のある詰替え用パウチは、本品としての使用も可能となる。しかしながら、前述した従来の内容物の注出性を改善した注出口部付パウチは、リクローズ機能がなく、これらの要望に応えることができなかった。
【０００４】
本発明は、上述の従来の注出口部付パウチの問題を解決したものであり、内容物の注出口部からの注出がし易く、また、リクローズ可能な開口維持部材付パウチを提供するものである。
【０００５】
【課題を解決するための手段】
すなわち、本発明の第１の発明は、使用時に先端を切断して開口する注出口部をもち、表裏の合成樹脂フィルムの周縁部をシールしてなる柔軟なパウチにおいて、前記注出口部に四角形状の平板で合成樹脂製の開口維持部材を挿着し、該開口維持部材が、左右方向を上端から下端にわたる平行な２本の縦の線状折り曲げ部を設けて三分し、該２本の縦の線状折り曲げ部を内側へほぼ９０°折り曲げたときに、嵌合して内容物の流路をもつ立体構造を維持し合う嵌脱可能な嵌合部を上方部と下方部のそれぞれに設け、且つ、上下方向のほぼ中央位置に左端から右端にわたる１本の横の線状折り曲げ部を設けて二分し、該横の線状折り曲げ部を内側へほぼ１８０°折り曲げて外側のパウチの注出口部を折り曲げたときに、折り曲げ内側になる合成樹脂フィルムを挟み込んで嵌合し合う嵌脱可能な嵌合部を上方部と下方部のそれぞれに設けたことを特徴とするリクローズ可能な開口維持部材付パウチである。
【０００６】
次に、本発明の第２の発明は、使用時に先端を切断して開口する注出口部をもち、表裏の合成樹脂フィルムの周縁部をシールしてなる柔軟なパウチにおいて、前記注出口部に四角形状の平板で合成樹脂製の開口維持部材を挿着し、該開口維持部材が、左右方向のほぼ中央位置に上端から下端にわたる１本の縦の線状折り曲げ部を設けて二分し、該縦の線状折り曲げ部を内側へほぼ９０°折り曲げたときに、嵌合して内容物の流路をもつ立体構造を維持し合う嵌脱可能な嵌合部を上方部と下方部のそれぞれに設け、且つ、上下方向のほぼ中央位置に左端から右端にわたる１本の横の線状折り曲げ部を設けて二分し、該横の線状折り曲げ部を内側へほぼ１８０°折り曲げて外側のパウチの注出口部を折り曲げたときに、折り曲げ内側になる合成樹脂フィルムを挟み込んで嵌合し合う嵌脱可能な嵌合部を上方部と下方部のそれぞれに設けたことを特徴とするリクローズ可能な開口維持部材付パウチである。
【０００７】
次に、本発明の第３の発明は、使用時に先端を切断して開口する注出口部をもち、表裏の合成樹脂フィルムの周縁部をシールしてなる柔軟なパウチにおいて、前記注出口部に四角形状の平板で合成樹脂製の開口維持部材を挿着し、該開口維持部材が、左右方向を上端から下端にわたる平行な２本の縦の線状折り曲げ部を設けて三分し、該２本の縦の線状折り曲げ部を内側へほぼ９０°折り曲げたときに、嵌合して内容物の流路をもつ立体構造を維持し合う嵌脱可能な嵌合部を上方部と下方部のそれぞれに設け、且つ、上下方向のほぼ中央位置に左端から右端にわたる平行な２本の横の線状折り曲げ部を設けて三分し、該２本の横の線状折り曲げ部を内側へほぼ９０°折り曲げて外側のパウチの注出口部を折り曲げたときに、折り曲げ内側になる合成樹脂フィルムを挟み込んで嵌合し合う嵌脱可能な嵌合部を上方部と下方部のそれぞれに設けたことを特徴とするリクローズ可能な開口維持部材付パウチである。
【０００８】
次に、本発明の第４の発明は、使用時に先端を切断して開口する注出口部をもち、表裏の合成樹脂フィルムの周縁部をシールしてなる柔軟なパウチにおいて、前記注出口部に四角形状の平板で合成樹脂製の開口維持部材を挿着し、該開口維持部材が、左右方向のほぼ中央位置に上端から下端にわたる１本の縦の線状折り曲げ部を設けて二分し、該縦の線状折り曲げ部を内側へほぼ９０°折り曲げたときに、嵌合して内容物の流路をもつ立体構造を維持し合う嵌脱可能な嵌合部を上方部と下方部のそれぞれに設け、且つ、上下方向のほぼ中央位置に左端から右端にわたる平行な２本の横の線状折り曲げ部を設けて三分し、該２本の横の線状折り曲げ部を内側へほぼ９０°折り曲げてパウチの注出口部を折り曲げたときに、折り曲げ内側になる合成樹脂フィルムを挟み込んで嵌合し合う嵌脱可能な嵌合部を上方部と下方部のそれぞれに設けたことを特徴とするリクローズ可能な開口維持部材付パウチである。
【０００９】
次に、本発明の第５の発明は、使用時に先端を切断して開口する注出口部をもち、表裏の合成樹脂フィルムの周縁部をシールしてなる柔軟なパウチにおいて、前記注出口部に内容物の流路をもつ立体構造の合成樹脂製の開口維持部材を挿着し、該開口維持部材が、上方部と中央部と下方部とからなり、前記上方部は左右周縁部に２個の側板を対応させて設けて断面形状を匚字状にし、前記中央部は平板状でその中程を湾曲させて内側へほぼ１８０°折り曲げて外側のパウチの注出口部を折り曲げたときに、前記上方部の左右周縁部の側板の内面と折り曲げ内側になる合成樹脂フィルムを挟み込んで嵌合する嵌脱可能な２個の嵌合部を下方部に対応させて設けたことを特徴とするリクローズ可能な開口維持部材付パウチである。
【００１０】
次に、本発明の第６の発明は、使用時に先端を切断して開口する注出口部をもち、表裏の合成樹脂フィルムの周縁部をシールしてなる柔軟なパウチにおいて、前記注出口部に内容物の流路をもつ立体構造の合成樹脂製の開口維持部材を挿着し、該開口維持部材が、上方部と中央部と下方部とからなり、前記上方部が左右周縁部に外面にそれぞれ嵌合部をもつ２個の側板を対応させて設けて断面形状を匚字状にし、前記中央部は平板状でその中程を湾曲させて内側へほぼ１８０°折り曲げて外側のパウチの注出口部を折り曲げたときに、前記上方部の２個の側板の外面の嵌合部と折り曲げ内側になる合成樹脂フィルムを挟み込んで嵌合する嵌脱可能なそれぞれ嵌合部をもつ２個の側板を下方部に対応させて設けたことを特徴とするリクローズ可能な開口維持部材付パウチである。
【００１１】
次に、本発明の第７の発明は、使用時に先端を切断して開口する注出口部をもち、表裏の合成樹脂フィルムの周縁部をシールしてなる柔軟なパウチにおいて、前記注出口部に内容物の流路をもつ立体構造の合成樹脂製の開口維持部材を挿着し、該開口維持部材が、上方部と中央部と下方部とからなり、前記上方部は平板で、前記中央部の左右周縁部に外側へ突設する嵌合部を先端のそれぞれにもつ２個の側板を対応させて設けて断面形状を匚字状にし、前記側板の近接下方位置に左端から右端にわたる１本の横の線状折り曲げ部を設け、前記下方部の左右周縁部に、横の線状折り曲げ部を内側へほぼ９０°折り曲げて外側のパウチの注出口部を折り曲げたときに、前記中央部の２個の側板の先端の嵌合部と直接又は折り曲げ内側になる合成樹脂フィルムを挟み込んで嵌合する嵌脱可能な嵌合部をそれぞれ先端に内側へ突設する２個の側板を対応させて設けたことを特徴とするリクローズ可能な開口維持部材付パウチである。
【００１２】
次に、本発明の第８の発明は、使用時に先端を切断して開口する注出口部をもち、表裏の合成樹脂フィルムの周縁部をシールしてなる柔軟なパウチにおいて、前記注出口部に内容物の流路をもつ立体構造の合成樹脂製の開口維持部材を挿着し、該開口維持部材が、上下方向のほぼ中央位置に左端から右端にわたる１本の横の線状折り曲げ部を設けて二分し、上方部の左右方向のほぼ中央位置に切り欠き状の嵌合部を設け、下方部の内面の左右方向のほぼ中央位置に、横の線状折り曲げ部を内側へほぼ９０°折り曲げて外側のパウチの注出口部を折り曲げたときに、前記上方部の切り欠き状の嵌合部と直接又は折り曲げ内側になる合成樹脂フィルムを挟み込んで嵌合する嵌脱可能な突起状の嵌合部を先端にもつ垂直板を突設したことを特徴とするリクローズ可能な開口維持部材付パウチである。
【００１３】
次に、本発明の第９の発明は、使用時に先端を切断して開口する注出口部をもち、表裏の合成樹脂フィルムの周縁部をシールしてなる柔軟なパウチにおいて、前記注出口部に内容物の流路をもつ立体構造の合成樹脂製の開口維持部材を挿着し、該開口維持部材が、平板状の上方部と立体構造の中央部と下方部とからなり、前記中央部の左右周縁部のそれぞれに、外側へ突設する突起状の嵌合部を先端にもつ側板を対応させて内側面に設け、該側板の下方近接位置に、左端から右端にわたる１本の横の線状折り曲げ部を設け、該横の線状折り曲げ部より下方の前記下方部の下方位置に、左端から右端にわたる横の突起状の嵌合部を設け、左右両側に縦の線状折り曲げ部を介して側板を連設し、該左右の側板のそれぞれの縦の線状折り曲げ部の隣接内側縁部に、前記縦の線状折り曲げ部を内側へほぼ９０°折り曲げたときに、前記下方部の横の突起状の嵌合部の両端に嵌脱可能に嵌合する切り欠き状の嵌合部を設け、且つ、前記縦の線状折り曲げ部を内側へほぼ９０°折り曲げて嵌合係止して断面形状を匚字状にし、さらに、前記横の線状折り曲げ部を内側へほぼ９０°折り曲げてパウチの注出口部を折り曲げたときに、前記中央部の側板の先端の突起状の嵌合部と直接又は折り曲げ内側になる合成樹脂フィルムを挟み込んで嵌脱可能に嵌合する突起状の嵌合部を、前記左右の側板の上端内面縁部に設けたことを特徴とするリクローズ可能な開口維持部材付パウチである。
【００１４】
次に、本発明の第１０の発明は、使用時に先端を切断して開口する注出口部をもち、表裏の合成樹脂フィルムの周縁部をシールしてなる柔軟なパウチにおいて、前記注出口部に内容物の流路をもつ立体構造の合成樹脂製の開口維持部材を挿着し、該開口維持部材が、ほぼ中央位置に切り欠き状の嵌合部をもつ前板と左右の側板とからなる断面形状がコ字状の上方部と、左右に平行する折り曲げ板からなる前記前板に連続する中央部と、該中央部を内側へほぼ１８０°折り曲げて外側のパウチの注出口部を折り曲げたときに、前記上方部の切り欠き状の嵌合部と折り曲げ内側になる合成樹脂フィルムを挟み込んで嵌脱可能に嵌合する突起状の嵌合部を内側面のほぼ中央位置に設けた下方部とからなることを特徴とするリクローズ可能な開口維持部材付パウチある。
【００１５】
次に、本発明の第１１の発明は、使用時に先端を切断して開口する注出口部をもち、表裏の合成樹脂フィルムの周縁部をシールしてなる柔軟なパウチにおいて、前記注出口部に内容物の流路をもつ立体構造の合成樹脂製の開口維持部材を挿着し、該開口維持部材が、ほぼ中央位置の内側面に板状の嵌合部を突設する半円筒状の上方部と、折り曲げ板からなる前記上方部に連続する中央部と、該中央部を内側へほぼ１８０°折り曲げて外側のパウチの注出口部を折り曲げたときに、前記上方部の板状の嵌合部と折り曲げ内側になる合成樹脂フィルムを挟み込んで嵌脱可能に嵌合する嵌合溝をもつ嵌合部を内側面に突設する下方部とからなることを特徴とするリクローズ可能な開口維持部材付パウチある。
【００１６】
次に、本発明の第１２の発明は、使用時に先端を切断して開口する注出口部をもち、表裏の合成樹脂フィルムの周縁部をシールしてなる柔軟なパウチにおいて、前記注出口部に内容物の流路をもつ立体構造の合成樹脂製の開口維持部材を挿着し、該開口維持部材が、下端部外側面に回転軸を突設する側板を左右に設けた断面形状が匚字状の上方部と、前記上方部の回転軸を枢着する軸受け部を左右上端部に内側へ突設し、前記上方部を内側へほぼ１８０°折り曲げてパウチの注出口部を折り曲げたときに、前記上方部の側板内面と折り曲げ内側になる合成樹脂フィルムを挟み込んで嵌脱可能に嵌合する左右平行の板状の嵌合部を下方内面に突設する下方部とからなることを特徴とするリクローズ可能な開口維持部材付パウチである。
【００１７】
次に、本発明の第１３の発明は、使用時に先端を切断して開口する注出口部をもち、表裏の合成樹脂フィルムの周縁部をシールしてなる柔軟なパウチにおいて、前記注出口部に内容物の流路をもつ立体構造の合成樹脂製の開口維持部材を挿着し、該開口維持部材が、四角形状の平板と、該平板の中央位置に垂直に枢着する半円状の開閉板とからなり、該開閉板を前記パウチの注出口部の内面と外周を摺接させて９０°回転させたときに、水平位置で嵌脱可能に開閉板を嵌合係止する突起状の嵌合部を開閉板に設けたことを特徴とするリクローズ可能な開口維持部材付パウチである。
【００１８】
そして、本発明の第１４の発明は、前記注出口部の表裏の合成樹脂フィルムの少なくとも片側を透明又は半透明にして、挿着した前記開口維持部材をパウチ外側から目視可能にしたことを特徴とする第１乃至第１３の発明に記載のリクローズ可能な開口維持部材付パウチである。
【００１９】
【作用】
本発明の第１乃至第４の発明のリクローズ可能な開口維持部材付パウチは、注出口部の先端を切断し、注出口部内に挿着する開口維持部材の縦の線状折り曲げ部をパウチの外側から指で内側へほぼ９０°折り曲げて嵌合係止すると、内容物の流路をもつ立体構造となり流路が確保されるため、内容物を注出口部から安定して注出し易い。
【００２０】
また、本発明の第５乃至第１３の発明のリクローズ可能な開口維持部材付パウチは、注出口部の先端を切断すると、注出口部内に内容物の流路をもつ立体構造の開口維持部材が挿着されているため、内容物を注出口部から安定して注出し易い。
【００２１】
そして、本発明の第１乃至第４の発明のリクローズ可能な開口維持部材付パウチは、内容物を注出したのちに、パウチの外側から指で縦の線状折り曲げ部を元の平らな状態に戻して開口維持部材を平板状にし、横の線状折り曲げ部を内側へほぼ１８０°折り曲げて、パウチの折り曲げ内側になる合成樹脂フィルムを挟み込んで上方部を下方部に嵌合係止すると、パウチの注出口部をリクローズすることができる。なお、再度、内容物を注出するときには、嵌合を外し横の線状折り曲げ部を元の平らな状態に戻して、縦の線状折り曲げ部を折り曲げて開口維持部材を内容物の流路をもつ立体構造にし、注出口部を開口する。
【００２２】
また、本発明の第５、第６、第１０乃至第１２の発明のリクローズ可能な開口維持部材付パウチは、内容物を注出したのちに、パウチの外側から指で上下方向のほぼ中央部を湾曲させて内側へほぼ１８０°折り曲げて、折り曲げ内側になる合成樹脂フィルムを挟み込んで上方部を下方部に嵌合係止すると、パウチの注出口部をリクローズすることができる。なお、再度、内容物を注出するときには、嵌合を外して中央部を元の平らな状態に戻して、注出口部を開口する。
【００２３】
また、本発明の第７乃至第９の発明のリクローズ可能な開口維持部材付パウチは、内容物を注出したのちに、パウチの外側から指で横の線状折り曲げ部を内側へほぼ９０°折り曲げて、パウチの折り曲げ内側になる合成樹脂フィルムを挟み込んで上方部を下方部に嵌合係止すると、パウチの注出口部をリクローズすることができる。なお、再度、内容物を注出するときには、嵌合を外して縦の線状折り曲げ部を元の平らな状態に戻して、注出口部を開口する。
【００２４】
また、本発明の第１３の発明のリクローズ可能な開口維持部材付パウチは、パウチの外側から指で平板の中央位置に垂直に枢着する半円状の開閉板を水平位置に回転させて嵌合係止すると、開閉板の外周縁部がパウチの注出口部の内面に密接して、パウチの注出口部をリクローズすることができる。なお、再度、内容物を注出するときには、嵌合を外して開閉板を垂直位置に回転させて、注出口部を開口する。
【００２５】
また、注出口部の表裏の合成樹脂フィルムの少なくとも片側を透明又は半透明にした本発明の第１４の発明のリクローズ可能な開口維持部材付パウチは、注出口部の透明又は半透明側のパウチ外側から注出口部に挿着する開口維持部材を目視することができるため、開口維持部材を内容物の流路をもつ立体構造にする操作やリクローズする操作を、パウチの外側から指で容易に確実にすることができる。
【００２６】
【発明の実施の形態】
本発明のリクローズ可能な開口維持部材付パウチ（１０）は、図１４に示すように、使用時に先端を切断して開口する注出口部（２１０）をもち、表裏の合成樹脂フィルムの周縁部をシール（２０１）してなる柔軟なパウチ（２００）の注出口部内に、リクローズ可能な開口維持部材（１００）を上下方向を注出方向に平行させて挿着し、内容物を注出したのちに、開口維持部材付パウチを上下方向のほぼ中央位置で折り曲げてパウチの注出口部を折り曲げ、折り曲げ内側になる合成樹脂フィルムを挟み込んで嵌合係止してパウチをリクローズするものである。この開口維持部材は、使用目的に適応した特性をもつポリエチレン、ポリプロピレンなどの熱可塑性樹脂を用いて、射出成形法により作製するものであり、パウチの注出口部の内面に、部分的に接着剤で接着するか又は熱融着して、パウチの注出口部内に挿着するものである。
【００２７】
そして、上述のパウチは、通常では、延伸ポリエステルフィルム層／ポリエチレン層構成、延伸ポリエステルフィルム層／無延伸ポリプロピレンフィルム層構成、ナイロンフィルム層／ポリエチレン層構成、ナイロンフィルム層／無延伸ポリプロピレンフィルム層構成、ナイロンフィルム層／アルミニウム箔層／ポリエチレン層構成、ナイロンフィルム層／アルミニウム箔層／無延伸ポリプロピレンフィルム層構成、延伸ポリエステルフィルム層／延伸ナイロンフィルム層／ポリエチレン層構成、延伸ポリエステルフィルム層／延伸ナイロンフィルム層／無延伸ポリプロピレンフィルム層、ポリエチレンテレフタレートフィルム層（蒸着層）／延伸ナイロンフィルム層／線状低密度ポリエチレンフィルム層構成などの透明又は不透明の積層フィルムを表裏重ね合わせて、その周縁部を、図１４に示すように、ヒートシール法などの熱融着法によりシール（２０１）して作製するものである。上述の蒸着層とは、アルミニウムなどの金属蒸着層、酸化ケイ素、アルミナなどの無機化合物蒸着層である。また、使用目的によっては、積層フィルムに限ることなく単層フィルムを使用してもよい。なお、注出口部（２１０）には、通常、開封のためのノッチ（２１１）を形成するものであり、パウチの形態は、通常周知の自立しない平パウチでも、底部に底部材を設けて自立するスタンディングパウチでもよい。
【００２８】
本発明の一実施形態のリクローズ可能な開口維持部材付パウチ（１０）は、例えば図１（ａ）に示すように、パウチ（２００）の注出口部（２１０）内に、四角形状で平板状の開口維持部材（１００）を縦の線状折り曲げ部（１０１，１０２）を注出方向に平行にして挿着するものである。この開口維持部材は、図１（ａ）に示すように、左右方向を２本の上端から下端にわたる平行な２本の縦の線状折り曲げ部（１０１，１０２）を設けて三分し、この２本の縦の線状折り曲げ部を内側へほぼ９０°折り曲げたときに、嵌合して図１（ｂ）に示す内容物の流路をもつ立体構造を維持し合う嵌脱可能な嵌合部を上方部と下方部のそれぞれに設けるものであり、図１（ａ）に示すように、上方部（１１０）には３個の嵌合部（１１１，１１２，１１３）を、下方部（１３０）にも３個の嵌合部（１３１，１３２，１３３）を設けるものである。このときの嵌合は、切り欠き状の嵌合部（１１１）と突起状の嵌合部（１１２）、突起状の嵌合部（１１２）と切り欠き状の嵌合部（１１３）、突起状の嵌合部（１３１）と切り欠き状の嵌合部（１３２）、切り欠き状の嵌合部（１３２）と突起状の嵌合部（１３３）とが嵌合するものである。また、上下方向のほぼ中央位置に左端から右端にわたる１本の横の線状折り曲げ部（１０３）を設けて二分し、この横の線状折り曲げ部（１０３）を、図１（ｃ）に示すように、内側へほぼ１８０°折り曲げてパウチの注出口部（２１０）を折り曲げたときに、折り曲げ内側になる合成樹脂フィルムを挟み込んで嵌合し合う嵌脱可能な嵌合部を上方部と下方部のそれぞれに設けるものであり、このときの嵌合は、嵌合部（１１１）と嵌合部（１３１）、嵌合部（１１２）と嵌合部（１３２）、嵌合部（１１３）と嵌合部（１３３）とが嵌合するものである。なお、線状折り曲げ部は、例えば裏面に図１（ａ）に示す切込み（１０５）を設けて線状の薄肉部を形成して設けるものである。
【００２９】
そして、内容物を注出するときに、図１（ｂ）に示すように、注出口部（２１０）の先端を切断して開口し、パウチ（２００）の外側から指で開口維持部材（１００）の２本の縦の線状折り曲げ部（１０１，１０２）を内側へほぼ９０°折り曲げて嵌着し、内容物の流路（１４０）をもつ立体構造にして内容物の流路を確保する。また、内容物を注出したのちに、パウチの外側から指で縦の線状折り曲げ部を元の平らな状態に戻して開口維持部材を平板状にし、図１（ｃ）に示すように、横の線状折り曲げ部（１０３）を内側へほぼ１８０°折り曲げて、パウチの折り曲げ内側になる合成樹脂フィルムを挟み込んで上方部（１１０）を下方部（１３０）に嵌合係止すると、注出口部（２１０）がリクローズされるものである。
【００３０】
また、本発明の他の一実施形態のリクローズ可能な開口維持部材付パウチ（１０）は、例えば図２（ａ）に示すように、パウチ（２００）の注出口部（２１０）内に、四角形状で平板状の開口維持部材（１００）を縦の線状折り曲げ部（１０１）を注出方向に平行にして挿着するものである。この開口維持部材（１００）は、図２（ａ）に示すように、左右方向をほぼ中央位置に上端から下端にわたる１本の縦の線状折り曲げ部（１０１）を設けて二分し、この縦の線状折り曲げ部を内側へほぼ９０°折り曲げたときに、嵌合して図２（ｂ）に示す内容物の流路をもつ立体構造を維持し合う嵌脱可能な嵌合部を上方部と下方部のそれぞれに設けるものであり、図２（ａ）に示すように、上方部（１１０）には２個の嵌合部（１１１，１１２）を、下方部（１３０）にも２個の嵌合部（１３１，１３２）を設けるものである。このときの嵌合は、切り欠き状の嵌合部（１１１）と突起状の嵌合部（１１２）、突起状の嵌合部（１３１）と切り欠き状の嵌合部（１３２）とが嵌合するものである。また、上下方向のほぼ中央位置に左端から右端にわたる１本の横の線状折り曲げ部（１０３）を設けて上方部（１１０）と下方部（１３０）とに二分し、この横の線状折り曲げ部（１０３）を、図２（ｃ）に示すように、内側へほぼ１８０°折り曲げてパウチの注出口部（２１０）を折り曲げたときに、折り曲げ内側になる合成樹脂フィルムを挟み込んで嵌合し合う嵌脱可能な嵌合部を上方部と下方部のそれぞれに設けるものであり、このときの嵌合は、嵌合部（１１１）と嵌合部（１３１）、嵌合部（１１２）と嵌合部（１３２）とが嵌合するものである。
【００３１】
そして、内容物を注出するときに、図２（ｂ）に示すように、注出口部（２１０）の先端を切断して開口し、パウチ（２００）の外側から指で開口維持部材（１００）の縦の線状折り曲げ部（１０１）を内側へほぼ９０°折り曲げて嵌着し、内容物の流路（１４０）をもつ立体構造にして内容物の流路を確保する。また、内容物を注出したのちに、パウチの外側から指で縦の線状折り曲げ部を元の平らな状態に戻して開口維持部材を平板状にし、図１（ｃ）に示すように、横の線状折り曲げ部（１０３）を内側へほぼ１８０°折り曲げて、パウチの折り曲げ内側になる合成樹脂フィルムを挟み込んで上方部（１１０）を下方部（１３０）に嵌合係止すると、注出口部（２１０）がリクローズされるものである。
【００３２】
また、本発明の他の一実施形態のリクローズ可能な開口維持部材付パウチ（１０）は、例えば図３（ａ）に示すように、パウチ（２００）の注出口部（２１０）内に、四角形状で平板状の開口維持部材（１００）を縦の線状折り曲げ部（１０１）を注出方向に平行にして挿着するものである。この開口維持部材（１００）は、図３（ａ）に示すように、左右方向を２本の上端から下端にわたる平行な２本の縦の線状折り曲げ部（１０１，１０２）を設けて三分し、この２本の縦の線状折り曲げ部を内側へほぼ９０°折り曲げたときに、嵌合して図２（ｂ）に示す内容物の流路をもつ立体構造を維持し合う嵌脱可能な嵌合部を上方部と下方部のそれぞれに設けるものであり、図３（ａ）に示すように、上方部には３個の嵌合部（１１１，１１２，１１３）を、下方部にも３個の嵌合部（１３１，１３２，１３３）を設けるものである。このときの嵌合は、溝状の嵌合部（１１１）と突起状の嵌合部（１１２）、突起状の嵌合部（１１２）と溝状の嵌合部（１１３）、突起状の嵌合部（１３１）と溝状の嵌合部（１３２）、溝状の嵌合部（１３２）と突起状の嵌合部（１３３）とが嵌合するものである。また、上下方向のほぼ中央位置に左端から右端にわたる平行な２本の横の線状折り曲げ部（１０３，１０４）を設けて上方部（１１０）と中央部（１２０）と下方部（１３０）とに三分し、この２本の横の線状折り曲げ部（１０３，１０４）を、図３（ｃ）に示すように、内側へほぼ９０°折り曲げてパウチの注出口部を折り曲げたときに、折り曲げ内側になる合成樹脂フィルムを挟み込んで嵌合し合う嵌脱可能な嵌合部を上方部と下方部のそれぞれに設けるものであり、このときの嵌合は、嵌合溝をもつ突起状の嵌合部（１１１）と突起状の嵌合部（１３１）、突起状の嵌合部（１１２）と嵌合溝をもつ突起状の嵌合部（１３２）、嵌合溝をもつ突起状の嵌合部（１１３）と突起状の嵌合部（１３３）とが嵌合するものである。
【００３３】
そして、内容物を注出するときに、図３（ｂ）に示すように、注出口部（２１０）の先端を切断して開口し、パウチ（２００）の外側から指で開口維持部材（１００）の２本の縦の線状折り曲げ部（１０１，１０２）を内側へほぼ９０°折り曲げて嵌着し、開口維持部材を内容物の流路（１４０）をもつ立体構造にして内容物の流路を確保する。２本の縦の線状折り曲げ部を内側へほぼ９０°折り曲げて嵌着し、内容物の流路をもつ立体構造にして内容物の流路（１４０）を確保する。また、内容物を注出したのちに、パウチの外側から指で縦の線状折り曲げ部を元の平らな状態に戻して開口維持部材を平板状にし、図３（ｃ）に示すように、２本の横の線状折り曲げ部（１０３，１０４）を内側へほぼ９０°折り曲げて、パウチの折り曲げ内側になる合成樹脂フィルムを挟み込んで上方部（１１０）を下方部（１３０）に嵌合係止すると、注出口部（２１０）がリクローズされるものである。
【００３４】
また、本発明の他の一実施形態のリクローズ可能な開口維持部材付パウチは、パウチの注出口部内に、四角形状で平板状の開口維持部材を縦の線状折り曲げ部を注出方向に平行にして挿着するものである。この開口維持部材（１００）は、例えば図４（ａ）又は（ｂ）に示すように、左右方向をほぼ中央位置に上端から下端にわたる１本の縦の線状折り曲げ部（１０１）を設けて二分し、この縦の線状折り曲げ部を内側へほぼ９０°折り曲げたときに、嵌合して内容物の流路をもつ立体構造を維持し合う嵌脱可能な嵌合部を上方部と下方部のそれぞれに設けるものであり、上方部には２個の嵌合部（１１１，１１２）を、下方部にも２個の嵌合部（１３１，１３２）を設けるものである。このときの嵌合は、突起状の嵌合部（１１１）と嵌合溝をもつ突起状の嵌合部（１１２）、嵌合溝をもつ突起状の嵌合部（１３１）と突起状の嵌合部（１３２）とが嵌合するものである。また、上下方向のほぼ中央位置に左端から右端にわたる平行な２本の横の線状折り曲げ部（１０３，１０４）を設けて上方部（１１０）と中央部（１２０）と下方部（１３０）とに三分し、この２本の横の線状折り曲げ部を、内側へほぼ９０°折り曲げてパウチの注出口部を折り曲げたときに、折り曲げ内側になる合成樹脂フィルムを挟み込んで嵌合し合う嵌脱可能な嵌合部を上方部と下方部のそれぞれに設けるものであり、このときの嵌合は、突起状の嵌合部（１１１）と嵌合溝をもつ突起状の嵌合部（１３１）、嵌合溝をもつ突起状の嵌合部（１１２）と突起状の嵌合部（１３２）とが嵌合するものである。
【００３５】
そして、内容物を注出するときに、注出口部の先端を切断して開口し、パウチの外側から指で開口維持部材の縦の線状折り曲げ部を内側へほぼ９０°折り曲げて嵌着し、開口維持部材を内容物の流路をもつ立体構造にして、内容物の流路を確保する。また、内容物を注出したのちに、パウチの外側から指で縦の線状折り曲げ部を元の平らな状態に戻して開口維持部材を平板状にし、２本の横の線状折り曲げ部を内側へほぼ９０°折り曲げて、パウチの折り曲げ内側になる合成樹脂フィルムを挟み込んで上方部を下方部に嵌合係止すると、注出口部がリクローズされるものである。
【００３６】
また、本発明の他の一実施形態のリクローズ可能な開口維持部材付パウチは、例えば図５（ａ）に示すように、パウチ（２００）の注出口部（２１０）内に、内容物の流路（１４０）をもつ立体構造の開口維持部材（１００）を挿着するものである。この開口維持部材（１００）は、図５（ａ）に示すように、上方部（１１０）と中央部（１２０）と下方部（１３０）とからなり、上方部は左右周縁部に２個の側板（３１１，３１２）を対応させて設けて断面形状を匚字状にし、中央部は平板状でその中程を湾曲させて内側へほぼ１８０°折り曲げて外側のパウチ（２００）の注出口部（２１０）を折り曲げたときに、上方部の左右周縁部の側板（３１１，３１２）の内面と折り曲げ内側になる合成樹脂フィルムを挟み込んで嵌合する嵌脱可能な２個の嵌合部（１３１，１３２）を下方部に対応させて設けるものであり、このときの嵌合は、側板（３１１）内面と板状の嵌合部（１３１）外面、側板（３１２）内面と板状の嵌合部（１３２）外面とが嵌合するものである。
【００３７】
そして、内容物を注出するときに、注出口部（２１０）の先端を切断して開口すると、図５（ａ）に示すように、注出口部内には内容物の流路（１４０）をもつ立体構造の開口維持部材（１００）が挿着されており、内容物を安定して注出口部から注出できる。また、内容物を注出したのちに、図５（ｂ）に示すように、パウチ（２００）の外側から指で開口維持部材（１００）の中央部（１２０）の中程を湾曲させて内側へほぼ１８０°折り曲げて、パウチの折り曲げ内側になる合成樹脂フィルムを挟み込んで上方部（１１０）を下方部（１３０）に嵌合係止すると、注出口部（２１０）がリクローズされるものである。
【００３８】
また、本発明の他の一実施形態のリクローズ可能な開口維持部材付パウチは、例えば図６（ａ）に示すように、パウチ（２００）の注出口部（２１０）内に、内容物の流路（１４０）をもつ立体構造の開口維持部材（１００）を挿着するものである。この開口維持部材（１００）は、図６（ａ）に示すように、上方部（１１０）と中央部（１２０）と下方部（１３０）とからなり、上方部が左右周縁部に外面にそれぞれ嵌合部（１１１，１１２）をもつ２個の側板（３１１，３１２）を対応させて設けて断面形状を匚字状にし、中央部は平板状でその中程を湾曲させて内側へほぼ１８０°折り曲げて外側のパウチ（２００）の注出口部（２１０）を折り曲げたときに、上方部の２個の側板（３１１，３１２）の外面の嵌合部と折り曲げ内側になる合成樹脂フィルムを挟み込んで嵌合する嵌脱可能なそれぞれ嵌合部（１３１，１３２）をもつ２個の側板（３３１，３３２）を下方部に対応させて設けるものであり、このときの嵌合は、突起状の嵌合部（１１１）と切り欠き状の嵌合部（１３１）、突起状の嵌合部（１１２）と切り欠き状の嵌合部（１３２）とが嵌合するものである。
【００３９】
そして、内容物を注出するときに、注出口部（２１０）の先端を切断して開口すると、図６（ａ）に示すように、注出口部内には内容物の流路（１４０）をもつ立体構造の開口維持部材（１００）が挿着されており、内容物を安定して注出口部から注出できる。また、内容物を注出したのちに、図６（ｂ）に示すように、パウチ（２００）の外側から指で開口維持部材（１００）の中央部（１２０）の中程を湾曲させて内側へほぼ１８０°折り曲げて、パウチの折り曲げ内側になる合成樹脂フィルムを挟み込んで上方部（１１０）を下方部（１３０）に嵌合係止すると、注出口部（２１０）がリクローズされるものである。
【００４０】
また、本発明の他の一実施形態のリクローズ可能な開口維持部材付パウチは、例えば図７（ａ）に示すように、パウチ（２００）の注出口部（２１０）内に、内容物の流路（１４０）をもつ立体構造の開口維持部材（１００）を挿着するものである。この開口維持部材（１００）は、図７（ａ）に示すように、上方部（１１０）と中央部（１２０）と下方部（１３０）とからなり、上方部は平板で、中央部の左右周縁部に外側へ突設する嵌合部（１２１，１２２）を先端のそれぞれにもつ２個の側板（３２１，３２２）を対応させて設けて断面形状を匚字状にし、側板の近接下方位置に左端から右端にわたる１本の横の線状折り曲げ部（１０３）を設け、下方部（１３０）の左右周縁部に、横の線状折り曲げ部を内側へほぼ９０°折り曲げて外側のパウチ（２００）の注出口部（２１０）を折り曲げたときに、中央部の２個の側板の先端の嵌合部（１２１，１２２）と直接又は折り曲げ内側になる合成樹脂フィルムを挟み込んで嵌合する嵌脱可能な嵌合部（１３１，１３２）をそれぞれ上端に内側へ突設する２個の側板（３３１，３３２）を対応させて設けるものであり、このときの嵌合は、突起状の嵌合部（１２１）と突起状の嵌合部（１３１）、突起状の嵌合部（１２２）と突起状の嵌合部（１３２）とが嵌合するものである。
【００４１】
そして、内容物を注出するときに、注出口部（２１０）の先端を切断して開口すると、図７（ａ）に示すように、注出口部内には内容物の流路（１４０）をもつ立体構造の開口維持部材（１００）が挿着されており、内容物を安定して注出口部から注出できる。また、内容物を注出したのちに、図７（ｂ）に示すように、パウチ（２００）の外側から指で開口維持部材（１００）の中央部（１２０）の下端の横の線状折り曲げ部（１０３）を内側へほぼ９０°折り曲げて、パウチの折り曲げ内側になる合成樹脂フィルムを挟み込んで上方部（１１０）と中央部（１２０）を下方部（１３０）に嵌合係止すると、注出口部（２１０）がリクローズされるものである。この操作は、合成樹脂フィルムを挟み込まないで行うように設計することもできる。この場合は嵌合部（１２１，１２２）と（１３１，１３２）との嵌合を合成樹脂フィルムの厚さを除いて設計する必要がある。
【００４２】
また、本発明の他の一実施形態のリクローズ可能な開口維持部材付パウチは、例えば図８（ａ）に示すように、パウチ（２００）の注出口部（２１０）内に、内容物の流路（１４０）をもつ立体構造の開口維持部材（１００）を挿着するものである。この開口維持部材（１００）は、図８（ａ）に示すように、上下方向のほぼ中央位置に左端から右端にわたる１本の横の線状折り曲げ部（１０３）を設けて二分し、この横の線状折り曲げ部の上方の上方部（１１０）の左右方向のほぼ中央位置に切り欠き状の嵌合部（１１１）を設け、下方部（１３０）の内面の左右方向のほぼ中央位置に、横の線状折り曲げ部（１０３）を内側へほぼ９０°折り曲げて外側のパウチの注出口部を折り曲げたときに、上方部の切り欠き状の嵌合部（１１１）と直接又は折り曲げ内側になる合成樹脂フィルムを挟み込んで嵌合する嵌脱可能な突起状の嵌合部（１３１）を先端にもつ垂直板（３４０）を突設するものである。
【００４３】
そして、内容物を注出するときに、注出口部（２１０）の先端を切断して開口すると、図８（ａ）に示すように、注出口部内には内容物の流路（１４０）をもつ立体構造の開口維持部材（１００）が挿着されており、内容物を安定して注出口部から注出できる。また、内容物を注出したのちに、図８（ｂ）に示すように、パウチ（２００）の外側から指で開口維持部材（１００）の上下方向のほぼ中央位置の横の線状折り曲げ部（１０３）を内側へほぼ９０°折り曲げて、パウチの折り曲げ内側になる合成樹脂フィルムを挟み込んで上方部（１１０）を下方部（１３０）に嵌合係止すると、注出口部（２１０）がリクローズされるものである。この操作は、合成樹脂フィルムを挟み込まないで行うように設計することもできる。この場合は嵌合部（１１１）と（１３１）との嵌合を合成樹脂フィルムの厚さを除いて設計する必要がある。
【００４４】
また、本発明の他の一実施形態のリクローズ可能な開口維持部材付パウチは、例えば図９（ａ）に示すように、パウチ（２００）の注出口部（２１０）内に、内容物の流路（１４０）をもつ立体構造の開口維持部材（１００）を挿着するものである。この開口維持部材（１００）は、図９（ａ）に示すように、中央部（１２０）の左右周縁部のそれぞれに、外側へ突設する突起状の嵌合部（１２１，１２２）を先端にもつ側板（３２１，３２２）を対応させて内側面に設け、これら側板の下方近接位置に、左端から右端にわたる１本の横の線状折り曲げ部（１０３）を設け、この横の線状折り曲げ部より下方の下方部（１３０）の下方位置に、左端から右端にわたる横の突起状の嵌合部（１３２）を設け、左右両側に縦の線状折り曲げ部（１０５，１０６）を介して側板（３３１，３３２）を連設し、この左右の側板のそれぞれの縦の線状折り曲げ部の隣接内側縁部に、前記縦の線状折り曲げ部（１０５，１０６）を内側へほぼ９０°折り曲げたときに、下方部の横の突起状の嵌合部（１３２）の両端に嵌脱可能に嵌合する切り欠き状の嵌合部（１３１，１３３）を設け、また、縦の線状折り曲げ部を内側へほぼ９０°折り曲げて嵌合係止して断面形状を匚字状にし、さらに、横の線状折り曲げ部（１０３）を内側へほぼ９０°折り曲げてパウチの注出口部を折り曲げたときに、中央部（１２０）の側板（３２１，３２２）の先端の突起状の嵌合部（１２１，１２２）と直接又は折り曲げ内側になる合成樹脂フィルムを挟み込んで嵌脱可能に嵌合する突起状の嵌合部（１３４，１３５）を、左右の側板（３３１，３３２）の上端内面縁部に設けるものである。
【００４５】
そして、内容物を注出するときに、図９（ｂ）に示すように、注出口部（２１０）の先端を切断して開口し、パウチの外側から指で下方部（１３０）の２本の縦の線状折り曲げ部（１０５，１０６）を内側へ９０°折り曲げて嵌着すると、内容物の流路（１４０）が確保されて、内容物を安定して注出口部から注出できる。また、内容物を注出したのちに、図９（ｃ）に示すように、パウチ（２００）の外側から指で開口維持部材（１００）の上下方向のほぼ中央位置の横の線状折り曲げ部（１０３）を内側へほぼ９０°折り曲げて、パウチの折り曲げ内側になる合成樹脂フィルムを挟み込んで上方部（１１０）を下方部（１３０）に嵌合係止すると、注出口部（２１０）がリクローズされるものである。この操作は、合成樹脂フィルムを挟み込まないで行うように設計することもできる。この場合は嵌合部（１２１，１２２）と（１３１，１３２）との嵌合を合成樹脂フィルムの厚さを除いて設計する必要がある。
【００４６】
また、本発明の他の一実施形態のリクローズ可能な開口維持部材付パウチは、例えば図１０（ａ）に示すように、パウチ（２００）の注出口部（２１０）内に、内容物の流路（１４０）をもつ立体構造の開口維持部材（１００）を挿着するものである。この開口維持部材（１００）は、図１０（ａ）に示すように、ほぼ中央位置に切り欠き状の嵌合部（１０１）をもつ前板（３５０）と左右の側板（３１１，３１２）とからなる断面形状がコ字状の上方部（１１０）と、左右に平行する折り曲げ板（３６１，３６２）からなる前板に連続する中央部（１２０）と、この中央部を内側へほぼ１８０°折り曲げて外側のパウチ（２００）の注出口部（２１０）を折り曲げたときに、上方部の切り欠き状の嵌合部（１０１）と折り曲げ内側になる合成樹脂フィルムを挟み込んで嵌脱可能に嵌合する突起状の嵌合部（１３１）を内側面のほぼ中央位置に設けた下方部（１３０）とからなるものである。
【００４７】
そして、内容物を注出するときに、注出口部（２１０）の先端を切断して開口すると、図１０（ａ）に示すように、注出口部内には内容物の流路（１４０）をもつ立体構造の開口維持部材（１００）が挿着されており、内容物を安定して注出口部から注出できる。また、内容物を注出したのちに、図１０（ｂ）に示すように、パウチ（２００）の外側から指で開口維持部材（１００）の中央部（１２０）を内側へほぼ１８０°折り曲げて、パウチの折り曲げ内側になる合成樹脂フィルムを挟み込んで上方部（１１０）を下方部（１３０）に嵌合係止すると、注出口部（２１０）がリクローズされるものである。
【００４８】
また、本発明の他の一実施形態のリクローズ可能な開口維持部材付パウチは、例えば図１１（ａ）に示すように、パウチ（２００）の注出口部（２１０）内に、内容物の流路（１４０）をもつ立体構造の開口維持部材（１００）を挿着するものである。この開口維持部材（１００）は、図１１（ａ）に示すように、ほぼ中央位置の内側面に板状の嵌合部（１１１）を突設する半円筒状の上方部（１１０）と、折り曲げ板（３６１）からなる上方部に連続する中央部（１２０）と、この中央部を内側へほぼ１８０°折り曲げて外側のパウチ（３００）の注出口部（２１０）を折り曲げたときに、上方部の板状の嵌合部（１１１）と折り曲げ内側になる合成樹脂フィルムを挟み込んで嵌脱可能に嵌合する嵌合溝をもつ嵌合部（１３１）を内側面に突設する下方部（１３０）とからなるものである。
【００４９】
そして、内容物を注出するときに、注出口部（２１０）の先端を切断して開口すると、図１１（ａ）に示すように、注出口部内には内容物の流路（１４０）をもつ立体構造の開口維持部材（１００）が挿着されており、内容物を安定して注出口部から注出できる。また、内容物を注出したのちに、図１１（ｂ）に示すように、パウチ（２００）の外側から指で開口維持部材（１００）の中央部（１２０）を内側へほぼ１８０°折り曲げて、パウチの折り曲げ内側になる合成樹脂フィルムを挟み込んで上方部（１１０）を下方部（１３０）に嵌合係止すると、注出口部（２１０）がリクローズされるものである。
【００５０】
また、本発明の他の一実施形態のリクローズ可能な開口維持部材付パウチは、例えば図１２（ａ）に示すように、パウチ（２００）の注出口部（２１０）内に、内容物の流路（１４０）をもつ立体構造の開口維持部材（１００）を挿着するものである。この開口維持部材（１００）は、図１２（ａ）に示すように、下端部外側面に回転軸（１５１，１５２記載せず）を突設する側板（３１１，３１２）を左右に設けた断面形状が匚字状の上方部（１１０）と、上方部の回転軸を枢着する軸受け部（１６１，１６２）を左右上端部に内側へ突設し、上方部を内側へほぼ１８０°折り曲げてパウチ（２００）の注出口部（２１０）を折り曲げたときに、上方部の側板（３１１，３１２）内面と折り曲げ内側になる合成樹脂フィルムを挟み込んで嵌脱可能に嵌合する左右平行の板状の嵌合部（１３１，１３２）を下方内面に突設する下方部（１３０）とからなるものである。
【００５１】
そして、内容物を注出するときに、注出口部（２１０）の先端を切断して開口すると、図１２（ａ）に示すように、注出口部内には内容物の流路（１４０）をもつ立体構造の開口維持部材（１００）が挿着されており、内容物を安定して注出口部から注出できる。また、内容物を注出したのちに、図１２（ｂ）に示すように、パウチ（２００）の外側から指で開口維持部材（１００）の上方部（１１０）を前方へ回転させて内側へほぼ１８０°折り曲げて、パウチの折り曲げ内側になる合成樹脂フィルムを挟み込んで上方部（１１０）を下方部（１３０）に嵌合係止すると、注出口部（２１０）がリクローズされるものである。
【００５２】
また、本発明の他の一実施形態のリクローズ可能な開口維持部材付パウチは、例えば図１３（ａ）に示すように、パウチ（２００）の注出口部（２１０）内に、内容物の流路（１４０）をもつ立体構造の開口維持部材（１００）を挿着するものである。この開口維持部材（１００）は、図１３（ａ）に示すように、四角形状の平板（４１０）と、この平板の中央位置に垂直に枢着する半円状の開閉板（４２０）とからなり、この開閉板をパウチ（２００）の注出口部（２１０）の内面と外周を摺接させてぼぼ９０°回転させたときに、水平位置で嵌脱可能に開閉板（４２０）を嵌合係止する突起状の嵌合部（１１１，１１２，１１３，１１４記載せず）を開閉板の左右端縁部に対応させて上下２個ずつ設けるものである。
【００５３】
そして、内容物を注出するときに、注出口部（２１０）の先端を切断して開口すると、図１３（ａ）に示すように、注出口部内には内容物の流路（１４０）をもつ立体構造の開口維持部材（１００）が挿着されており、内容物を安定して注出口部から注出できる。また、内容物を注出したのちに、図１３（ｂ）に示すように、パウチ（２００）の外側から指で開口維持部材（１００）の開閉板（４２０）をぼぼ９０°回転させて水平位置で嵌合係止すると、注出口部（２１０）がリクローズされるものである。
【００５４】
なお、パウチの注出口部に挿着する開口維持部材を立体構造にするときやリクローズするときに、パウチの外側から開口維持部材の状態を目視するために、注出口部の表裏の合成樹脂フィルムの少なくとも片側を透明又は半透明にしてもよい。なお、パウチにガスバリア性などを必要とする場合には、基材の積層フィルムの構成層中に、アルミ、シリカなどの透明又は半透明の無機化合物の蒸着層を設けることができるが、不透明なアルミニウム箔層、アルミニウム蒸着層などは設けられない。また、通常、パウチの注出口部の全体又は開封維持部材の全体又は一部分に相当する部分には、印刷層を設けないことが好ましい。
【００５５】
また、パウチに形成する注出口部も上述の実施形態例のようなパウチの角部に斜め方向に突出する形態のほかに、パウチの上部角部又は上部中央部に上方向に突出する形態、パウチの側部角部、側部中央部、側部下部に横方向に突出する形態とすることもできる。
【００５６】
また、パウチの注出口部に開口維持部材を収容するパウチの表面方向へ膨らむ窪みを形成することもできる。この窪みは、パウチの表裏フィルムの一方若しくは両方（好ましくは本発明のパウチを製造する際に開口維持部材を置く側のフィルム）に、開口維持部材の外周形状と等しいか大であり、この開口維持部材を収容可能な大きさで、その深さは開口維持部材の厚み相当か、それ以上かそれ以下にして設けるものである。
【００５７】
【発明の効果】
本発明のリクローズ可能な開口維持部材付パウチは、注出口部内に平板状又は立体構造の開口維持部材を挿着しているが、内容物を注出するときに、注出口部の先端を切断し、平板状の開口維持部材はパウチの外側から指で容易に流路をもつ立体構造にでき、また、立体構造の開口維持部材はそのままで流路をもち、内容物の流路が確保されるため、内容物を注出口部から安定して注出することができる。
【００５８】
また、本発明のリクローズ可能な開口維持部材付パウチは、内容物を注出したのちに、立体構造にした平板状の開口維持部材は元の平らな状態に戻し、立体構造の開口維持部材はそのまま、パウチの外側から指で上下方向のほぼ中央位置を折り曲げてパウチの折り曲げ内側の合成樹脂フィルムを挟み込んで上方部を下方部に嵌合係止すると、パウチの注出口部を容易にリクローズすることができる。また、半円状の開閉板が枢着する開口維持部材は、開閉板を垂直から水平位置に回転することにより、パウチの注出口部を容易にリクローズすることができる。
【００５９】
また、注出口部の表裏の合成樹脂フィルムの少なくとも片側を透明又は半透明にした本発明のリクローズ可能な開口維持部材付パウチは、パウチの外側から注出口部に挿着する開口維持部材を目視することができ、開口維持部材を立体構造にする操作やリクローズする操作がし易い。
【図面の簡単な説明】
【図１】  （ａ）は、本発明の一実施形態のリクローズ可能な開口維持部材付パウチの注出口部の構造を示す説明図であり、（ｂ）は、その注出口部を開口したときの状態を示す説明図であり、（ｃ）は、注出口部をリクローズした状態を示す説明図である。
【図２】  （ａ）は、本発明の他の一実施形態のリクローズ可能な開口維持部材付パウチの注出口部の構造を示す説明図であり、（ｂ）は、その注出口部を開口したときの状態を示す説明図であり、（ｃ）は、注出口部をリクローズした状態を示す説明図である。
【図３】  （ａ）は、本発明の他の一実施形態のリクローズ可能な開口維持部材付パウチの注出口部の構造を示す説明図であり、（ｂ）は、その注出口部を開口したときの状態を示す説明図であり、（ｃ）は、注出口部をリクローズした状態を示す説明図である。
【図４】  （ａ）は、本発明の他の一実施形態のリクローズ可能な開口維持部材の構造を示す説明図であり、（ｂ）は、他の一実施形態のリクローズ可能な開口維持部材の構造を示す説明図である。
【図５】  （ａ）は、本発明の他の一実施形態のリクローズ可能な開口維持部材付パウチの注出口部を開口したときの状態とその開口維持部材の構造を示す説明図であり、（ｂ）は、注出口部をリクローズした状態を示す説明図である。
【図６】  （ａ）は、本発明の他の一実施形態のリクローズ可能な開口維持部材付パウチの注出口部を開口したときの状態とその開口維持部材の構造を示す説明図であり、（ｂ）は、注出口部をリクローズした状態を示す説明図である。
【図７】  （ａ）は、本発明の他の一実施形態のリクローズ可能な開口維持部材付パウチの注出口部を開口したときの状態とその開口維持部材の構造を示す説明図であり、（ｂ）は、注出口部をリクローズした状態を示す説明図である。
【図８】  （ａ）は、本発明の他の一実施形態のリクローズ可能な開口維持部材付パウチの注出口部を開口したときの状態とその開口維持部材の構造を示す説明図であり、（ｂ）は、注出
口部をリクローズした状態を示す説明図である。
【図９】  （ａ）は、本発明の他の一実施形態のリクローズ可能な開口維持部材付パウチの注出口部の構造を示す説明図であり、（ｂ）は、その注出口部を開口したときの状態を示す説明図であり、（ｃ）は、注出口部をリクローズした状態を示す説明図である。
【図１０】  （ａ）は、本発明の他の一実施形態のリクローズ可能な開口維持部材付パウチの注出口部を開口したときの状態とその開口維持部材の構造を示す説明図であり、（ｂ）は、注出口部をリクローズした状態を示す説明図である。
【図１１】  （ａ）は、本発明の他の一実施形態のリクローズ可能な開口維持部材付パウチの注出口部を開口したときの状態とその開口維持部材の構造を示す説明図であり、（ｂ）は、注出口部をリクローズした状態を示す説明図である。
【図１２】  （ａ）は、本発明の他の一実施形態のリクローズ可能な開口維持部材付パウチの注出口部を開口したときの状態とその開口維持部材の構造を示す説明図であり、（ｂ）は、注出口部をリクローズした状態を示す説明図である。
【図１３】  （ａ）は、本発明の他の一実施形態のリクローズ可能な開口維持部材付パウチの注出口部を開口したときの状態とその開口維持部材の構造を示す説明図であり、（ｂ）は、注出口部をリクローズした状態を示す説明図である。
【図１４】  本発明の一例のリクローズ可能な開口維持部材付パウチの構造を示す説明図である。
【符号の説明】
１０……開口維持部材付パウチ
１００……開口維持部材
１０１，１０２，１０３，１０４，１０５，１０６……線状折り曲げ部
１０５……切り込み
１１０……上方部
１１１，１１２，１１３，１２１，１２２，１３１，１３２，１３３，１３４，１３５……嵌合部
１２０……中央部
１３０……下方部
１４０……流路
１５１，１５２……回転軸
１６１，１６２……軸受け部
２００……パウチ
２０１……シール
２１０……注出口部
２１１……ノッチ
３１１，３１２，３２１，３２２，３３１，３３２……側板
３４０……垂直板
３５０……前板
３６１，３６２……折り曲げ板
４１０……平板
４２０……開閉板
【図１】
0003817963.tif 000002
【図２】
0003817963.tif 000003
【図３】
0003817963.tif 000004
【図４】
0003817963.tif 000005
【図５】
0003817963.tif 000006
【図６】
0003817963.tif 000007
【図７】
0003817963.tif 000008
【図８】
0003817963.tif 000009
【図９】
0003817963.tif 000010
【図１０】
0003817963.tif 000011
【図１１】
0003817963.tif 000012
【図１２】
0003817963.tif 000013
【図１３】
0003817963.tif 000014
【図１４】
0003817963.tif 000015